(57)【要約】【解決手段】鉛筆挿入孔２に沿わせて長短２枚の削り刃３，４を配置する。【効果】鉛筆挿入孔２に鉛筆Ｄを差し込んで鉛筆Ｄを回すか、鉛筆Ｄを持って鉛筆削り器Ａを回すことにより、長短２枚の削り刃３，４により鉛筆Ｄの芯ｄをきれいに円錐状に削ることができる。また、長短２枚の削り刃３，４で鉛筆Ｄを削るので、１回転で１回削られるものに比べて２倍の速さで削ることが可能となり、削るのに要する回転数及び削る時間が半減する。この鉛筆削り器Ａを組立・分解可能なケースＢ内に収納してケースＢの一部であるキャップｂに固定すると、鉛筆削り器Ａで削られた削りカスをケースＢ内に集め取ることができるので、有利である。【選択図】図６
2016034706.tif 000002
【特許請求の範囲】
【請求項１】
鉛筆挿入孔に沿わせて長短２枚の削り刃を配置したことを特徴とする鉛筆削り器。
【請求項２】
短い削り刃の刃先の先端部分の直ぐ前に、芯先ストッパを設けたことを特徴とする請求項１記載の鉛筆削り器。
【請求項３】
芯先ストッパの先端手前側を横断面テーパー状に切除しておくことを特徴とする請求項２記載の鉛筆削り器。
【請求項４】
長い削り刃に対して短い削り刃を定位置に置くための位置決め用リブを、短い削り刃の長さ方向の端縁に当接するごとく設けたことを特徴とする請求項１〜３のいずれか１項に記載の鉛筆削り器。
【請求項５】
刃先に手指が直接触れないようにするためのリブを設けたことを特徴とする請求項１〜４のいずれか１項に記載の鉛筆削り器。
【請求項６】
削り器本体の周囲に外周リブを設けたことを特徴とする請求項１〜５のいずれか１項に記載の鉛筆削り器。
【請求項７】
削り器本体にネジ孔を設けたことを特徴とする請求項６記載の鉛筆削り器。
【請求項８】
請求項１〜７のいずれか１項に記載の鉛筆削り器を、組立・分解可能なケースに収納・固定したことを特徴とする鉛筆削り器。
【請求項９】
請求項７記載の鉛筆削り器のネジ孔にネジを螺入し、組立・分解可能なケース内にある鉛筆削り器を前記ケースのキャップに固定したことを特徴とする鉛筆削り器。
【発明の詳細な説明】
【技術分野】
【０００１】
本発明は、長短２枚の削り刃を有する鉛筆削り器に関するものである。
【背景技術】
【０００２】
従来、鉛筆削り器として、鉛筆の削り時間を短縮させるために、鉛筆挿入孔に対して２枚の削り刃を有するもの（例えば、特許文献１，２）や、左右どちら側に鉛筆を回転させても削ることができるように、鉛筆挿入孔に対して２枚の削り刃を有するもの（例えば、特許文献３，４）が提案されている。
【先行技術文献】
【特許文献】
【０００３】
【特許文献１】特許第３００８３３１号公報（特許請求の範囲、段落０００３、０００７等参照）
【０００４】
【特許文献２】実願昭５６−００２０８２号（実開昭５７−１１６４９４号）のマイクロフィルム（実用新案登録請求の範囲、明細書第２頁、第３図参照）
【０００５】
【特許文献３】特開２００９−２０８４５３号公報（請求項４、段落０００９、図５等参照）
【０００６】
【特許文献４】登録実用新案第３１６９７４５号公報（請求項４、段落０００９、図５等参照）
【発明の概要】
【発明が解決しようとする課題】
【０００７】
これらの鉛筆削り器に取り付けられている２枚の削り刃はいずれも同じ長さであり、同じ長さの刃が鉛筆挿入孔に差し込まれた１本の鉛筆に作用する。したがって、鉛筆の芯をきれいに円錐状に削るという面で必ずしも満足できるものではなかった。
【０００８】
本発明は、この欠点を解消することを目的とするもので、長短２枚の削り刃を有する構成としたものである。
【課題を解決するための手段】
【０００９】
すなわち、本発明は、鉛筆挿入孔に沿わせて長短２枚の削り刃を配置したことを特徴とするものである。この鉛筆削り器によれば、鉛筆挿入孔に鉛筆を差し込んで鉛筆を回すか、鉛筆を持って鉛筆削り器を回すことにより、長短２枚の削り刃により鉛筆の芯をきれいに円錐状に削ることができる。
【００１０】
また、この鉛筆削り器によれば、長短２枚の削り刃で鉛筆を削るので、１回転で１回削られるものに比べて２倍の速さで削ることが可能となり、削るのに要する回転数及び削る時間が半減する。
【００１１】
短い削り刃の刃先の先端部分の直ぐ前に、芯先ストッパを設けておくことが望ましい。このようにした場合には、削られて行く芯先がこの芯先ストッパに当るので、芯先が削れ続けない。
【００１２】
芯先ストッパの先端手前側を横断面テーパー状に切除しておくことが望ましい。このようにした場合には、芯先ストッパの横断面テーパー状に切除されている部分で、芯先に角度を付けることができるので、より書きやすい鉛筆の芯先に仕上げることができる。
【００１３】
長い削り刃に対して短い削り刃を定位置に置くための位置決め用リブを、短い削り刃の長さ方向の端縁に当接するごとく設けておくことが望ましい。この位置決め用リブを設けたことにより、短い削り刃を長い削り刃に対して定位置に置くことができるのみならず、鉛筆削り器の剛性を高めることができる。
【００１４】
刃先に手指が直接触れないようにするためのリブを設けておくことが望ましい。このリブを設けたことにより、利用者が誤って手指を刃先に触れないようにすることができ、極めて安全である。
【００１５】
削り器本体の周囲に外周リブを設けておくことが望ましい。このようにした場合には、鉛筆削り器本体が樹脂からなる成形品であっても、強度不足により削り器本体に歪が生じて鉛筆をきれいに削ることができないという事態を回避することができる。
【００１６】
削り器本体にネジ孔を設けておくことが望ましい。このようにした場合には、削り器本体をケースの一部にネジで固定できる。したがって、削り器本体とケースとが樹脂からなる成形品であって、両者を接着剤で接合した場合の変形を防止でき、削り器本体が使用できなくなるのを防止することができる。
【００１７】
また、このような鉛筆削り器を組立・分解可能なケースに収納・固定すると良い。この場合には、鉛筆削り器で削られた削りカスをケース内に集め取ることができるので、有利である。
【００１８】
ネジ孔を有する鉛筆削り器のネジ孔にネジを螺入し、組立・分解可能なケース内にある鉛筆削り器を前記ケースのキャップに固定すると良い。この場合には、鉛筆削り器のネジ孔を利用して組立・分解可能なケース内にある鉛筆削り器をケースのキャップに固定できるし、鉛筆削り器で削られた削りカスをケース内に集め取ることができるので、有利である。
【発明の効果】
【００１９】
請求項１記載の発明によれば、鉛筆挿入孔に鉛筆を差し込んで鉛筆を回すか、鉛筆を持って鉛筆削り器を回すことにより、長短２枚の削り刃により鉛筆の芯をきれいに円錐状に削ることができる。
【００２０】
また、この鉛筆削り器によれば、長短２枚の削り刃で鉛筆を削るので、１回転で１回削られるものに比べて２倍の速さで削ることが可能となり、削るのに要する回転数及び削る時間が半減する。
【００２１】
請求項２記載の発明によれば、削られて行く芯先がこの芯先ストッパに当るので、芯先が削れ続けない。
【００２２】
請求項３記載の発明によれば、芯先ストッパの横断面テーパー状に切除されている部分で、芯先に角度を付けることができるので、より書きやすい鉛筆の芯先に仕上げることができる。
【００２３】
請求項４記載の発明によれば、短い削り刃を長い削り刃に対して定位置に置くことができるのみならず、鉛筆削り器の剛性を高めることができる。
【００２４】
請求項５記載の発明によれば、利用者が誤って手指を刃先に触れないようにすることができ、極めて安全である。
【００２５】
請求項６記載の発明によれば、削り器本体が樹脂からなる成形品であっても、強度不足により削り器本体に歪が生じて鉛筆をきれいに削ることができないという事態を回避することができる。
【００２６】
請求項７記載の発明によれば、削り器本体をケースの一部にネジで固定できるので、削り器本体とケースとが樹脂からなる成形品であって、両者を接着剤で接合した場合の変形を防止でき、削り器本体が使用できなくなるのを防止することができる。
【００２７】
請求項８記載の発明によれば、鉛筆削り器で削られた削りカスをケース内に集め取ることができるので、有利である。
【００２８】
請求項９記載の発明によれば、鉛筆削り器のネジ孔を利用して組立・分解可能なケース内にある鉛筆削り器をケースの一部に固定できるし、鉛筆削り器で削られた削りカスをケース内に集め取ることができるので、有利である。
【図面の簡単な説明】
【００２９】
【図１】本発明による鉛筆削り器の一例を示す斜視図で、(a)は長い削り刃が配置されている側から、また、(b)は短い削り刃が配置されている側から見た場合を示す。
【図２】長短２枚の削り刃の取付座を表わす正面図で、(a)は長い削り刃を取り付けるための取付座を、(b)は短い削り刃を取り付けるための取付座を、鎖線の削り刃とともに示す。
【図３】本発明による鉛筆削り器を鉛筆挿入孔側から見た側面図である。
【図４】図３のＩＶ−ＩＶ線に沿う概略の断面図で、(a)は鉛筆挿入孔の先側に横断面角形の芯先ストッパがある場合を、(b)はこの芯先ストッパの先端手前側を横断面テーパー状に切除した場合を示す。
【図５】削られた鉛筆の芯先を表わす図で、(a)は長短２枚の削り刃で削られた通常の場合のイメージを、(b)は図４(a)の横断面角形の芯先ストッパがある場合のイメージを、(c)は図４(b)の芯先ストッパの先端手前側を横断面テーパー状に切除した場合のイメージを示す。
【図６】ネジ孔を有する鉛筆削り器のネジ孔にネジを螺入し、組立・分解可能なケース内にある鉛筆削り器をケースの一部であるキャップに固定する場合の一例を示す分解斜視図である。
【図７】２つ割りのケース本体の一方の口部付近に形成した突起を、ケースの一部であるキャップに形成した孔に嵌入し、接合させた２つ割りのケース本体からなるケースとともに枠状のホルダをキャップに取り付け、このホルダ内にキャップの入り口側から鉛筆削り器を差し込むことにより、組立・分解可能なケース内に鉛筆削り器を位置させる場合の一例を示す分解斜視図である。
【発明を実施するための形態】
【００３０】
本発明を実施するための形態について、図面を参照しながら詳細に説明する。
本発明による鉛筆削り器Ａの削り器本体１は、硬質合成樹脂材料により構成され、図面に示すように、全体形状が角形であって、その一方の端面１ａから奥に向けて横断面円錐状の鉛筆挿入孔２が形成されている。そして、横断面円錐状のこの鉛筆挿入孔２に沿わせて長短２枚の削り刃３，４を、図１、図３に示すように、短い削り刃４の刃先４ａの先端部分４ｂが長い削り刃３の刃先３ａからわずかに離れるように配置してある。
【００３１】
この構成についてさらに詳細に説明すると、前記鉛筆挿入孔２の周壁には、図３に示すように、その挿入口から少し入ったところから鉛筆挿入孔２の先の方に向けて、相対向する位置に２つのスリット２ａ，２ａが形成されており、両スリット２ａ，２ａからわずかに刃先３ａ，４ａが見えるごとく、長短２枚の削り刃３，４が図２(a)、(b)に示す相対向する取付座５Ｌ，５Ｓに取り付けられている。この場合において、図３に示すように、短い削り刃４の刃先４ａの先端部分４ｂが長い削り刃３の刃先３ａからわずかに（コンマ数ミリ程度）離れるように配置されている。
【００３２】
この鉛筆削り器Ａによれば、図４の鎖線で示すように、鉛筆挿入孔２に鉛筆Ｄを差し込んで鉛筆Ｄを回すか、鉛筆削り器Ａを回すことにより、長短２枚の削り刃３，４により鉛筆Ｄの芯ｄをきれいに円錐状に削ることができる。この場合において、鉛筆Ｄの軸部分は長短２枚の削り刃３，４により削られ、芯ｄ部分は長い削り刃３によりきれいに円錐状に削られる。
【００３３】
また、この鉛筆削り器Ａによれば、長短２枚の削り刃３，４で鉛筆を削るので、１回転で１回削られるものに比べて２倍の速さで削ることが可能となり、削るのに要する回転数及び削る時間が半減する。
【００３４】
短い削り刃４の刃先４ａの先端部分４ｂの直ぐ前には、芯先ストッパ６が設けられている。図４(a)には、この芯先ストッパ６を横断面角形とした場合を、図２(a)、(b)及び図４(b)には、この芯先ストッパ６の先端手前側を符号６ａで示すように横断面テーパー状に切除した場合を表わす。
短い削り刃４の刃先４ａの先端部分４ｂの直ぐ前に、図２(a)、(b)及び図４(a)、(b)に示す芯先ストッパ６が設けられていない場合には、長短２枚の削り刃３，４で鉛筆Ｄを削ると、図５(a)に示すように、芯ｄは通常円錐状に削られる。ところが、図４(a)に示すように、前記の位置に横断面角形の芯先ストッパ６が設けられていると、図５(b)に示すように、削られて行く芯先がこの芯先ストッパ６の横断面角形の部分に当るので、芯先が削れ続けない。
また、図２(a)、(b)及び図４(b)に示すように、前記の位置に先端手前側を符号６ａで示すように横断面テーパー状に切除した芯先ストッパ６が設けられていると、図５(c)に示すように、芯先ストッパ６の横断面テーパー状に切除されている部分６ａで、芯先に角度を付けることができるので、より書きやすい鉛筆の芯先に仕上げることができる。
【００３５】
また、長い削り刃３に対して短い削り刃４を定位置に置くための位置決め用リブ７が、短い削り刃４の長さ方向の先端縁４ｃに当接するごとく設けられている。図２(b)に示すように、この位置決め用リブ７をこの位置に設けたことにより、短い削り刃４を長い削り刃３に対して定位置に置くことができるのみならず、鉛筆削り器Ａの剛性を高めることができる。
【００３６】
また、長い削り刃３と短い削り刃４の刃先３ａ，４ａに手指が直接触れないようにするためのリブ８が設けられている。図２(b)に示すように、このリブ８をこの位置に設けたことにより、利用者が誤って手指を長い削り刃３と短い削り刃４の刃先３ａ，４ａに触れないようにすることができ、極めて安全である。
【００３７】
また、削り器本体１の周囲に外周リブ９が設けられている（図２(a)，(b)参照）。このようにした場合には、削り器本体１が樹脂からなる成形品であっても、強度不足により削り器本体１に歪が生じて鉛筆をきれいに削ることができないという事態を回避することができる。
【００３８】
また、削り器本体１にネジ孔１０が設けられている（図６参照）。このようにした場合には、削り器本体１をケースＢの一部であるキャップｂにネジ１１で固定できる。したがって、削り器本体１とケースＢとが樹脂からなる成形品であって、両者を接着剤で接合した場合の変形を防止でき、削り器本体１が使用できなくなるのを防止することができる。
【００３９】
また、このような鉛筆削り器Ａを組立・分解可能なケースＢに収納・固定することができるようにしてある。このようにした場合には、鉛筆削り器Ａで削られた削りカスをケースＢ内に集め取ることができるので、有利である。
【００４０】
さらに、ネジ孔１０を有する鉛筆削り器Ａのネジ孔１０にネジ１１を螺入し、組立・分解可能なケースＢ内にある鉛筆削り器Ａを前記ケースＢの一部であるキャップｂに固定するようにしてある。このようにした場合には、鉛筆削り器Ａのネジ孔１０を利用して組立・分解可能なケース内Ｂにある鉛筆削り器ＡをケースＢの一部であるキャップｂに固定できるし、鉛筆削り器Ａで削られた削りカスをケースＢ内に集め取ることができるので、有利である。
【００４１】
図６及び図７に示すように、ケースＢは例えば左右２つ割りとし、その接合部分における凹凸嵌合により２つ割りのケース本体ｂ１，ｂ１が組立・分解可能となっている。図６の場合には、上述したように、ネジ孔１０を有する鉛筆削り器Ａのネジ孔１０にネジ１１を螺入し、組立・分解可能なケースＢ内にある鉛筆削り器Ａを前記ケースＢの一部であるキャップｂに固定することができる。
【００４２】
一方、図７の場合には、キャップｂに枠状のホルダ１４が一体的に取り付けられ、このホルダ１４内に鉛筆削り器Ａをキャップｂの入り口側から差し込むことにより、組立・分解可能なケースＢ内に前記鉛筆削り器Ａを位置させることができる。
【００４３】
前記キャップｂには、図６、図７に示すように、上下の対向位置に２つの孔１２，１２が形成されている。図６には、これら２つの孔１２，１２が表されている。一方、抱き合わせる２つ割りのケース本体ｂ１，ｂ１の一方の口部付近には、前記２つの孔１２，１２に対応する位置に、上下２つの丸い突起１３，１３が形成されている。図６、図７では、その一方（上側）のみしか表されていないが、それと対向する位置にもう１つの突起１３が形成されている。そして、抱き合わされたケース本体ｂ１，ｂ１の上下２つの突起１３，１３を、前記キャップｂの上下２つの孔１２，１２に嵌入することにより、抱き合わされたケース本体ｂ１，ｂ１をキャップｂに極めて簡単に取り付けることができる。一方、上下２つの前記孔１２，１２から上下２つの前記突起１３，１３の嵌入を解くと、抱き合わされたケース本体ｂ１，ｂ１をキャップｂから極めて簡単に取り外すことができる。
【００４４】
前記キャップｂは、図６に示す場合には、前記鉛筆削り器Ａの鉛筆挿入孔２に対応する大きさの孔１５と鉛筆削り器Ａのネジ孔１０に対応する位置にネジ挿通孔１１’とが形成されており、また、図７に示す場合には、前記鉛筆削り器Ａを挿通させ得るごとく大きく開口されている。そして、図６に示す場合には、前記孔１５の手前側に位置するようにカバーｃがキャップｂに取り付けられ、図７に示す場合には、前記の大きい開口孔１６を覆うようにカバーｃがキャップｂに取り付けられている。
【００４５】
図６及び図７に示すカバーｃは共通のものであり、前記鉛筆挿入孔２及びこの鉛筆挿入孔２に対応する前記孔１５と同じ大きさの孔１７がカバーｃに形成されている。また、このカバーｃには、カバーｃに形成されている前記孔１７を覆い隠すか、逆にこの孔１７を露出させ得るスライド可能なシャッター１８が取り付けられている。
【００４６】
前記孔１７を覆い隠しているシャッター１８をスライドさせ、図６に示す場合には、露出した孔１７からキャップｂに形成されている孔１５を経て鉛筆削り器Ａの鉛筆挿入孔２に鉛筆Ｄを差し込んで鉛筆Ｄを回すか、鉛筆Ｄを持ってケースＢごと鉛筆削り器Ａを回すことにより、また、図７に示す場合には、露出した孔１７からキャップｂの開口孔１６を経てホルダ１４に保持されている鉛筆削り器Ａの鉛筆挿入孔２に直接鉛筆Ｄを差し込んで鉛筆Ｄを回すか、鉛筆Ｄを持ってケースＢごと鉛筆削り器Ａを回すことにより、いずれの場合も鉛筆Ｄを削ることができる。そして、鉛筆削り器Ａで削られた削りカスをケースＢ内に集め取ることができる。
【００４７】
なお、図６においては、キャップｂとカバーｃを反対側から見た図を、また、図７においては、カバーｃを反対側から見た図を合わせて図示してある。カバーｃに左右２つの係合爪１９，１９を設けておき、両係合爪１９，１９をキャップｂに形成されている２つの切欠孔２０，２０に係入することにより、キャップｂにカバーｃを取り付けることができる。また、シャッター１８の左右両側には突条１８ａ，１８ａが形成されており、両突条１８ａ，１８ａがカバーｃに形成した凹溝２１の左右両側の切欠溝２１ａ，２１ａに係入され、それに沿ってシャッター１８がカバーｃの凹溝２１内でスライドし得るようになっている。
【符号の説明】
【００４８】
１…削り器本体、２…鉛筆挿入孔、３…長い削り刃、４…短い削り刃、６…芯先ストッパ、７…位置決め用リブ、８…リブ、９…外周リブ、１０…ネジ孔、１４…ホルダ、Ａ…  鉛筆削り器、Ｂ…ケース、ｂ１…ケース本体、ｂ…キャップ、Ｄ…鉛筆、ｄ…芯。
【図１】
2016034706.tif 000003
【図２】
2016034706.tif 000004
【図３】
2016034706.tif 000005
【図４】
2016034706.tif 000006
【図５】
2016034706.tif 000007
【図６】
2016034706.tif 000008
【図７】
2016034706.tif 000009